(57)【要約】【課題】各種電子機器の入力操作部等に用いられるプッシュスイッチおよびそれを搭載する電子機器に関し、機械的強度を劣化させることなく、配線基板からの高さを抑えたものを提供することを目的とする。【解決手段】上方開口の凹部２１Ａの内底面に中央固定接点２２と外側固定接点２３を備えたケース２１において、上記各固定接点２２，２３と接続された端子２２Ａ，２３Ａを、ケース２１の底面より上方位置となる両側面の高さ方向の中央付近である中間高さ位置から水平帯状に導出させる。そして、ケース２１の凹部２１Ａの内底面を上記端子２２Ａ，２３Ａの下面位置より下方に位置する構成のものとした。【選択図】図１
2010118336.tif 000002
【特許請求の範囲】
【請求項１】
下方開口のドーム状をした弾性金属薄板製の可動接点と、この可動接点を収納した上方開口の凹部を平板面に有し、その凹部の内底面に電気的に独立した複数の固定接点とその複数の固定接点に接続して外方へ導出された表面実装型の端子とを備えた略矩形のケースと、このケースの平板面に粘着された絶縁フィルム製の保護シートと、上記ケースの前方に突出する操作部を備え、前後移動可能に上記保護シート上に載置された操作体と、上記操作体の上方から上記ケースに取り付けられたカバーとからなるプッシュスイッチであって、上記端子が上記ケースの側部から外方に導出され、その端子の半田付けされる下面位置が上記ケースの底面より上方に位置したことを特徴とするプッシュスイッチ。
【請求項２】
ケースの凹部の内底面が、半田付けされる端子の下面位置より下方に位置したことを特徴とする請求項１記載のプッシュスイッチ。
【請求項３】
ケースの端子が導出された下面位置を境にして、上記ケースの少なくとも左右の側部の上方部分が下方部分より外方に突出した受け部として設けられ、その受け部が機器の配線基板上面に当接載置されて実装されるようにしたことを特徴とする請求項１記載のプッシュスイッチ。
【請求項４】
ケース平板面の各角部にコーナー突部がＬ字型に突設され、そのコーナー突部根元に、保護シート上面より高く上記平板面から突出した段部が形成され、その段部上面に操作体の摺動部が載置されて、上記操作体が上記段部上で前後移動可能になされていることを特徴とする請求項１記載のプッシュスイッチ。
【請求項５】
端子は、ケースの左右対称の位置にそれぞれ２本設けられ、前方側に位置した前方端子の幅は後方側に位置した後方端子の幅より広い幅に設定されていることを特徴とする請求項１記載のプッシュスイッチ。
【請求項６】
端子は、ケースの左右対称の位置にそれぞれ複数設けられ、上記端子に切欠き部が設けられていることを特徴とする請求項１記載のプッシュスイッチ。
【請求項７】
端子は、ケースの左右対称の位置にそれぞれ２本設けられ、前方側に位置した前方端子は先端側が下方に向けて折り曲げられていることを特徴とする請求項１記載のプッシュスイッチ。
【請求項８】
ケースの側部から導出された端子が左右対称位置に設けられた請求項１記載のプッシュスイッチを搭載する電子機器であって、上記プッシュスイッチが挿入される切欠き部を備えた配線基板の、上記切欠き部の奥側端面から上記端子用の各ランドの前後方向の幅の中心までの間隔それぞれが、上記切欠き部の奥側端面に当接する上記プッシュスイッチの後端部から上記各端子の幅の中心までの間隔それぞれより短く設定されている電子機器。
【発明の詳細な説明】
【技術分野】
【０００１】
本発明は、各種電子機器の入力操作部等に用いられ、実装された配線基板面に対して平行な方向からその操作部を押し込んで機能させるプッシュスイッチおよびそれを搭載する電子機器に関するものである。
【背景技術】
【０００２】
近年、各種電子機器の小型化、薄型化と多機能化が進んでおり、それら電子機器の入力操作部に用いられるプッシュスイッチにおいても実装密度が高くなり、電子機器の配線基板の縁部に実装され、配線基板面に平行な方向から操作部を押し込んで操作する所謂横押しタイプの採用も多くなっている。
【０００３】
このような従来のプッシュスイッチについて、図１５〜図１６を用いて説明する。
【０００４】
図１５は従来のプッシュスイッチの分解斜視図、図１６は同実装状態の側面断面図であり、同図において、１は上方開口の凹部１Ａを有し、上面視略矩形をした絶縁樹脂製のケースであり、その凹部１Ａの内底面には、中央固定接点２と外側固定接点３が電気的に独立してインサート成形で配設されている。そして、中央固定接点２と外側固定接点３とからそれぞれ延設されている端子２Ａ，３Ａもインサート成形により固定されて、各々上記ケース１の外方に導出されている。また、ケース１の前方底部位置には下方に突出した下方突起１Ｂが突設されている。
【０００５】
４は下方開口の円形ドーム状をした弾性金属薄板製の可動接点であり、上記ケース１の凹部１Ａ内に収容され、その外周下端が外側固定接点３上に載り、ドーム状の中央部下面が中央固定接点２と間隔をあけて対峙している。そして、５は下面に図示しない粘着剤を備えた絶縁フィルム製の保護シートであり、ケース１の凹部１Ａを塞ぐように凹部１Ａ周囲の上面位置に粘着されている。
【０００６】
６はケース１の前面側に突出して位置される操作部６Ａを備えた絶縁樹脂製の操作体であり、この操作部６Ａの後方には先端が略球形状の押圧部６Ｃとなった棒状の弾性突起６Ｂを有し、またその弾性突起６Ｂの周囲を囲むように枠形状に摺動部６Ｄが設けられている。この摺動部６Ｄは、上記保護シート５上に前後移動可能に載置されている。
【０００７】
そして、７は上記操作体６の上方への移動を規制する金属板製のカバーであり、中央部分に設けられた傾斜部７Ａの前面に上記操作体６の弾性突起６Ｂ先端の押圧部６Ｃが当接状態になされてケース１に取り付けられている。
【０００８】
以上のように従来のプッシュスイッチは構成され、次に動作について説明する。まず、操作体６の操作部６Ａを後方に押し込んでいくと、摺動部６Ｄが保護シート５上を後方に移動していくと共に、カバー７の傾斜部７Ａに当接した弾性突起６Ｂ先端の押圧部６Ｃが傾斜面７Ａに沿って斜め下方に案内されて移動していく。この押圧部６Ｃの斜め下方への移動によって、保護シート５を介して可動接点４に押下力が加わり、その押下力が可動接点４の弾性反転力を超えるとクリック感を伴って可動接点４のドーム状部分が下方凸形に変形し、その下面が下方に対峙した中央固定接点２に接触して、スイッチオンとなる。
【０００９】
そして、操作部６Ａを押し込んでいた力を解除すると、可動接点４の自己復元力によってクリック感を伴って可動接点４が元の上方に膨らんだドーム状に復元して上記中央部下面が中央固定接点２から離間し、スイッチオフとなる。その際、可動接点４の自己復元力で弾性突起６Ｂは上方に押し戻され、弾性突起６Ｂ先端の押圧部６Ｃがカバー７の傾斜部７Ａに沿って斜め上方に案内されて移動し、その押圧部６Ｃの移動に伴って摺動部６Ｄが保護シート５上を前方に移動して操作体６が元の状態に戻るものであった。
【００１０】
そして、この従来のプッシュスイッチの実装状態としては、図１６に示したように、配線基板１１の縁部に設けられたコ字形の切欠き部１２にケース１の下方突起１Ｂが挿入された状態で、端子２Ａ，３Ａが半田付けされて実装される。
【００１１】
この実装状態において、上述したように、操作体６の操作部６Ａを配線基板１１面に平行に押し込んで動作させると、ケース１に設けられた下方突起１Ｂは、操作体６に加わる過大な荷重に対して、その後面が配線基板１１に突き当たって端子２Ａ，３Ａの半田付け部分の剥離を防止するように構成されているものであった。
【００１２】
なお、この出願の発明に関連する先行技術文献情報としては、例えば、特許文献１、特許文献２が知られている。
【先行技術文献】
【特許文献】
【００１３】
【特許文献１】特開２００７−３２９０２２号公報
【特許文献２】特開２００１−２１０１７６号公報
【発明の概要】
【発明が解決しようとする課題】
【００１４】
各種電子機器の薄型化に対して、上記従来のプッシュスイッチにおいても、半田付け部分の剥離強度などに代表される機械的強度を維持して更なる薄型化が要望されている。
【００１５】
しかしながら上記従来のプッシュスイッチにおいては、配線基板１１面からの高さを低くするには構造上の限界があった。また、特許文献２による形態も知られているが、配線基板下面への突出があり薄型化要望に添えないという課題があった。
【００１６】
本発明は、このような従来の課題を解決するものであり、機械的強度を劣化させることなく、配線基板からの高さを抑えたプッシュスイッチおよびそれを搭載する電子機器を提供することを目的とする。
【課題を解決するための手段】
【００１７】
上記目的を達成するために本発明は、以下の構成を有するものである。
【００１８】
本発明の請求項１に記載の発明は、下方開口のドーム状をした弾性金属薄板製の可動接点と、この可動接点を収納した上方開口の凹部を平板面に有し、その凹部の内底面に電気的に独立した複数の固定接点とその複数の固定接点に接続して外方へ導出された表面実装型の端子とを備えた略矩形のケースと、このケースの平板面に粘着された絶縁フィルム製の保護シートと、上記ケースの前方に突出する操作部を備え、前後移動可能に上記保護シート上に載置された操作体と、上記操作体の上方から上記ケースに取り付けられたカバーとからなるプッシュスイッチであって、上記端子が上記ケースの側部から外方に導出され、その端子の半田付けされる下面位置が上記ケースの底面より上方に位置したことを特徴とするプッシュスイッチとしたものであり、機器の配線基板に設けられた切欠き部内にケースの下方部分が挿入されるものとしたため、操作体への操作高さ位置が配線基板面側に近付いた状態で実装でき、実装後の半田付け部に加わる押圧操作モーメントが抑えられて機械的強度面で優位で、実装状態において配線基板面からの高さを抑えたプッシュスイッチを提供することができるという作用を有する。
【００１９】
請求項２に記載の発明は、請求項１記載の発明において、ケースの凹部の内底面が、半田付けされる端子の下面位置より下方に位置したことを特徴とするものであり、プッシュスイッチの内部構造を下方に下げた構成にでき、実装後の半田付け部に加わる押圧操作モーメントが抑えられると共に、配線基板からの高さをさらに抑えたものにできるという作用を有する。
【００２０】
請求項３に記載の発明は、請求項１記載の発明において、ケースの端子が導出された下面位置を境にして、上記ケースの少なくとも左右の側部の上方部分が下方部分より外方に突出した受け部として設けられ、その受け部が機器の配線基板上面に当接載置されて実装されるようにしたことを特徴とするものであり、配線基板に当接載置される受け部を設けたので、安定して配線基板の切欠き部に載置できて、実装作業性を向上することができるという作用を有する。
【００２１】
請求項４に記載の発明は、請求項１記載の発明において、ケース平板面の各角部にコーナー突部がＬ字型に突設され、そのコーナー突部根元に、保護シート上面より高く上記平板面から突出した段部が形成され、その段部上面に操作体の摺動部が載置されて、上記操作体が上記段部上で前後移動可能になされていることを特徴とするものであり、操作体の前後移動に際し保護シートとの摩擦をなくして滑らかな移動が可能になり、良好な操作感触が得られるものにできるという作用を有する。
【００２２】
請求項５に記載の発明は、請求項１記載の発明において、端子は、ケースの左右対称の位置にそれぞれ２本設けられ、前方側に位置した前方端子の幅は後方側に位置した後方端子の幅より広い幅に設定されていることを特徴とするものであり、前方端子に強く加わる押圧操作モーメントに対し、半田付け実装後の機械的強度を強くすることができるという作用を有する。
【００２３】
請求項６に記載の発明は、請求項１記載の発明において、端子は、ケースの左右対称の位置にそれぞれ複数設けられ、上記端子に切欠き部が設けられていることを特徴とするものであり、切欠き部が半田溜まりとして作用するため、半田付け実装後の機械的強度を強くすることができるという作用を有する。
【００２４】
請求項７に記載の発明は、請求項１記載の発明において、端子は、ケースの左右対称の位置にそれぞれ２本設けられ、前方側に位置した前方端子は先端側が下方に向けて折り曲げられていることを特徴とするものであり、折り曲げられた先端側を、配線基板に設けたスルーホールに挿入して半田付け実装することで、前方端子に強く加わる押圧操作モーメントに対し、半田付け実装後の機械的強度をより強くすることができるという作用を有する。
【００２５】
請求項８に記載の発明は、ケースの側部から導出された端子が左右対称位置に設けられた請求項１記載のプッシュスイッチを搭載する電子機器であって、上記プッシュスイッチが挿入される切欠き部を備えた配線基板の、上記切欠き部の奥側端面から上記端子用の各ランドの前後方向の幅の中心までの間隔それぞれが、上記切欠き部の奥側端面に当接する上記プッシュスイッチの後端部から上記各端子の幅の中心までの間隔それぞれより短く設定されている電子機器としたものであり、溶融半田が凝固する際にランド幅の中央に各端子が位置するように凝縮力がバランスをとるように働くため、プッシュスイッチが切欠き部の奥側に向けて付勢されて奥側端面に密着状態に半田付け固定されて配線基板上での位置が安定すると共に、過大な荷重が操作部に加わった際の荷重を直接的に配線基板の端面で受け止めることにより機械的強度を向上させることができるという作用を有する。
【発明の効果】
【００２６】
以上のように本発明によれば、機械的強度を劣化させることなく、実装状態において配線基板からの高さを抑えたプッシュスイッチおよびそれを搭載する電子機器を提供することができるという有利な効果が得られる。
【図面の簡単な説明】
【００２７】
【図１】本発明の一実施の形態によるプッシュスイッチの外観図
【図２】同分解斜視図
【図３】同側面断面図
【図４】同電子機器の配線基板に搭載する状態を説明する外観図
【図５】同電子機器の配線基板の切欠き部に挿入した状態の平面図
【図６】同実装状態の側面断面図
【図７】ケースを別の形態としたプッシュスイッチの外観図
【図８】同底面図
【図９】同電子機器の配線基板の切欠き部に挿入した状態の外観図
【図１０】図１の端子を別の形態としたプッシュスイッチの外観図
【図１１】図１の端子を別の形態としたプッシュスイッチを電子機器の配線基板に搭載する状態を説明する外観図
【図１２】図１０のケースを別の形態としたプッシュスイッチの外観図
【図１３】図１１のケースを別の形態としたプッシュスイッチの外観図
【図１４】図１３の端子を別の形態としたプッシュスイッチの外観図
【図１５】従来のプッシュスイッチの分解斜視図
【図１６】同実装状態の側面断面図
【発明を実施するための形態】
【００２８】
以下、本発明の実施の形態について、図１〜図１４を用いて説明する。
【００２９】
（実施の形態）
図１は本発明の一実施の形態によるプッシュスイッチの外観図、図２は同分解斜視図、図３は同側面断面図、図４は同電子機器の配線基板に搭載する状態を説明する外観図、図５は同電子機器の配線基板の切欠き部に挿入した状態の平面図、図６は同実装状態の側面断面図である。
【００３０】
同図において、２１は平板部２１Ｂの中央部に上方開口の凹部２１Ａを有した上面視略矩形の絶縁樹脂製のケースであり、上記凹部２１Ａの内底面には、中央に中央固定接点２２とその中央固定接点２２を挟む対称位置に２つの外側固定接点２３が電気的に独立してインサート成形で配設されている。そして、中央固定接点２２に接続されてケース２１の外方に導出された端子２２Ａと外側固定接点２３に接続されてケース２１の外方に導出された端子２３Ａのそれぞれも絶縁樹脂でインサート成形されて固定されている。
【００３１】
上記端子２２Ａ，２３Ａは、ケース２１の底面より上方となる両側面の高さ方向の中央付近である中間高さ位置から導出され、中央固定接点２２と接続した端子２２Ａが後方側に、外側固定接点２３と接続した端子２３Ａが前方側に水平帯状で導出されている。そして、ケース２１の凹部２１Ａの内底面は上記端子２２Ａ，２３Ａの下面位置より下方に位置するように設定されている。
【００３２】
また、上記平板部２１Ｂの４つの角部には、略Ｌ字型で情報に突出したコーナー突部２１Ｃがそれぞれ設けられていると共に、その４つのコーナー突部２１Ｃの内側根元部分には段部２１Ｄがそれぞれ設けられている。各段部２１Ｄは、それぞれの上面が平坦面で形成され、その高さとしては平板部２１Ｂ面より所定寸法高い位置になる同一寸法で設定されて形成されている。
【００３３】
２４は上記ケース２１の凹部２１Ａ内に収容された下方開口の円形ドーム状をした弾性金属薄板製の可動接点であり、その外周下端が外側固定接点２３上に載置され、ドーム状の中央部下面が中央固定接点２２と間隔をあけて対峙している。そして、２５は下面に図示しない粘着剤を備えた絶縁フィルム製の保護シートであり、ケース２１の凹部２１Ａを塞ぐように平板部２１Ｂ上面に粘着されている。
【００３４】
２６は絶縁樹脂製の操作体であり、上記ケース２１の前面側に突出して位置される操作部２６Ａを備え、その操作部２６Ａの後方には、先端が略球形状の押圧部２６Ｃに形成された棒状の弾性突起２６Ｂが突出形成されると共に、その弾性突起２６Ｂから間隔をあけて周囲を囲む枠形状の摺動部２６Ｄが設けられたものとなっている。この摺動部２６Ｄは、上記ケース２１のコーナー突部２１Ｃ根元の段部２１Ｄ上に載置され、保護シート２５上を摺接することなく操作体２６が前後移動可能なように配されている。
【００３５】
そして、２７はケース２１のコーナー突部２１Ｃ上に配され、上記操作体２６の上方への移動を規制する金属板製のカバーであり、中央部分に設けられた傾斜部２７Ａの前面に操作体２６の弾性突起２６Ｂ先端の押圧部２６Ｃが当接状態になされてケース２１に取り付けられている。
【００３６】
以上のように本実施の形態によるプッシュスイッチは構成され、その動作は、ケース２１から突出した操作体２６の操作部２６Ａを後方に向けて水平に押し込んでいくと、摺動部２６Ｄがケース２１の段部２１Ｄ上を後方に移動していくと共に、カバー２７の傾斜部２７Ａに当接した弾性突起２６Ｂ先端の押圧部２６Ｃが傾斜部２７Ａの面に沿って斜め下方に案内されて移動していく。そして、下方に移動する押圧部２６Ｃが保護シート２５を介して可動接点２４のドーム状中央部を押下し、その押下力が可動接点２４の弾性反転力を超えるとクリック感を伴ってドーム状部分が下方凸形に変形し、その下面が中央固定接点２２に接触して、スイッチオンとなる。
【００３７】
そして、操作部２６Ａを押し込んでいた力を解除すると、クリック感を伴って可動接点２４が元の上方に膨らんだドーム状に自己復元し、その中央部下面が中央固定接点２２から離間して、スイッチオフとなる。その際、保護シート２５を介して可動接点２４の自己復元力による上方への付勢力を受けて操作体２６の押圧部２６Ｃが上方に押し戻され、押圧部２６Ｃはカバー２７の傾斜部２７Ａの面に沿って案内されつつ斜め上方に移動し、この押圧部２６Ｃの移動によって摺動部２６Ｄがケース２１の段部２１Ｄ上を前方に移動して元の状態に戻る。
【００３８】
以上のように、本実施の形態によるものは、操作体２６の摺動部２６Ｄが段部２１Ｄ上を移動して、従来のように絶縁フィルム製の保護シート２５上を移動しない構成にしたため、摩擦抵抗が少なく、操作体２６の前後移動が滑らかになされて、可動接点２４の弾性反転と自己復元時のクリック感触としても軽快で良好な操作感触が得られるものにできる。なお、本発明は搭載状態での高さ寸法の低背化などが目的であるため、操作体２６は、従来のように保護シート２５上に載置した構成としてもよい。
【００３９】
次に、本実施の形態によるプッシュスイッチを電子機器の配線基板に搭載する状態について説明する。
【００４０】
図４に示すように、３１は当該プッシュスイッチを搭載するための電子機器の配線基板であり、その縁部には前方側が開口したコ字形の切欠き部３２が設けられており、プッシュスイッチの端子２２Ａ，２３Ａに対応した位置には、図示しない回路に繋がった端子用のランド３３がそれぞれ矩形形状で設けられている。
【００４１】
そして、その切欠き部３２は、ケース２１両側面の中間高さ位置より導出された端子２２Ａ，２３Ａ下面からの下方部分を挿入させるために設けられたものであり、切欠き部３２の幅としては、ケース２１を挿入可能でガタツキが生じないようにケース２１の幅より僅かに大きく設定してあり、また奥行きは、操作部２６Ａの押し込み操作に支障なく、かつプッシュスイッチが配線基板３１上で安定するように、ケース２１の前後方向の寸法とほぼ同じ寸法に設定してある。
【００４２】
プッシュスイッチを挿入して配された状態を図５の平面図に示す。同図から判るように、配線基板３１の各ランド３３の位置は、切欠き部３２の奥側端面から各ランド３３の前後方向の幅の中心までの間隔それぞれが、プッシュスイッチの切欠き部３２に挿入される部分となるケース２１の後端から各端子２２Ａ，２３Ａの幅の中心までの間隔それぞれより僅かに短く設定されている。
【００４３】
つまり、ランド３３の位置が端子２２Ａ，２３Ａの位置に対して僅かに後方にずれた位置にそれぞれ設けられている。なお、ずれの寸法としては、０．０２ｍｍ〜０．２ｍｍの範囲に設定すると好ましい。
【００４４】
このように配線基板３１の端子半田付け用のランド３３を設けることにより、半田付け時の溶融半田が凝固する際の凝縮力が、ランド３３幅の中央に各端子２２Ａ，２３Ａを位置させるように働くため、プッシュスイッチが切欠き部３２の奥側に向けて付勢され、図６に示すように、切欠き部３２に挿入されたケース２１において後方に突出形成された下方後端が切欠き部３２の奥側端面に密着して半田付け固定されて配線基板３１上の位置が安定すると共に、過大な荷重が操作部２６Ａに加わった際においても、その荷重を直接的に配線基板３１の端面で受け止めるようにでき、これにより機械的強度を向上させた実装状態のものを容易に得ることができる。
【００４５】
このように本実施の形態によれば、電子機器の配線基板３１に設けられた切欠き部３２に対して、ケース２１の側面から導出された端子２２Ａ，２３Ａより下方部分を挿入して実装されるようにできるので、操作体２６の操作部２６Ａに加わる過大な荷重に対してもケース２１を介して配線基板３１の切欠き部３２奥側端面で荷重を受けるものにできて、プッシュスイッチ単独での機械的強度より向上したものにできる。
【００４６】
さらに、ケース２１の凹部２１Ａ内底面が半田付け位置である配線基板３１上面より下方に位置したものとしているため、実装後において、操作体２６の高さ位置も配線基板面側に近付く低い位置関係の実装状態のものにでき、これにより端子２２Ａ，２３Ａの半田付け部に加わる押圧操作モーメントが抑えられて、より機械的強度に有利なものにできると共に、プッシュスイッチの配線基板３１からの高さを抑えたものにできる。
【００４７】
なお、端子２２Ａ，２３Ａのケース２１からの導出位置は側面の中央付近の高さ位置に限らず、ケース２１の端子２２Ａ，２３Ａから下方部分が配線基板３１の切欠き部３２への挿入代を備えていれば良く、例えばケース２１側面における上方高さ位置から端子２２Ａ，２３Ａが導出されている方が配線基板３１からの高さ寸法が低くなる構成にできて好ましい。
【００４８】
また、端子２２Ａ，２３Ａは平板状に限らず、所謂Ｊベント形状、ガルウィング形状等の表面実装タイプであっても良い。
【００４９】
次に、ケースを別の形態のものとした実施形態の事例を図７〜図９を用いて説明する。
【００５０】
図７はケースを別の形態としたプッシュスイッチの外観図、図８は同底面図、図９は電子機器の配線基板の切欠き部に挿入した状態の外観図であり、同図において、４１は端子２２Ａ，２３Ａが絶縁樹脂でインサート成形されて固定されたケースで、前方に突出して位置された操作部２６Ａへの操作で操作体２６が前後移動可能になされ、その上方からカバー２７が固定されている。なお、端子２２Ａ，２３Ａは、ケース４１の両側面の高さ方向のほぼ中央となる中間高さ位置から左右対称位置で平板状に各々導出されている。
【００５１】
そして、これら各端子２２Ａ，２３Ａの下面位置を境にして、ケース４１左右の上方部分が下方部分より外方に突出した受け部４１Ａに構成されている。
【００５２】
なお、その他の構成は上述したものと同じであり、またその動作も同様であるので、説明は省略する。
【００５３】
そして、図９に示すように、配線基板３１の切欠き部３２にケース４１の端子２２Ａ，２３Ａより下方部分を挿入した状態にすると、当該構成のものは、端子２２Ａ，２３Ａがランド３３上に位置すると共にケース４１の受け部４１Ａが配線基板３１上に載置された状態となる。
【００５４】
このように当該形態のものによれば、プッシュスイッチを配線基板３１の切欠き部３２に挿入した状態で、端子２２Ａ，２３Ａのみで配線基板３１に載置したものより受け部４１Ａによって広い面積で、かつケース４１の両側で安定して載置できるため、実装作業性を向上することができる。
【００５５】
また、受け部４１Ａの下面に、端子２２Ａ，２３Ａが露出した面積が増えるので、半田付け面積の拡大により、半田付け実装後の機械的強度を強くすることができる。
【００５６】
なお、配線基板３１への搭載部品の高密度化の観点からは、占有面積が少なくなるようケース４１の両側面方向のみに受け部４１Ａを設けたものとする方が好ましい。一方、実装作業性向上の観点からは、受け部４１Ａをケース４１の後面部分にも突設した構成にすると良い。
【００５７】
次に、端子を別の形態のものとした実施の形態の事例を、図１０を用いて説明する。
【００５８】
図１０は、図１に示したプッシュスイッチの端子を別の形態としたものの外観図である。
【００５９】
図１０において、１０１は左右の両側面からそれぞれ導出され、前方側に位置した前方端子１０２と後方側に位置した後方端子１０３が、絶縁樹脂でインサート成形されて固定されたケースである。このケース１０１に対し、前述したものと同様に、操作体２６の前方に突出して位置された操作部２６Ａへの操作で操作体２６が前後移動可能になされ、その上方からカバー２７が固定されている。前方端子１０２と後方端子１０３は、ケース１０１の両側面の高さ方向のほぼ中央となる中間高さ位置から左右対称位置で平板状に各々導出されている。
【００６０】
後方端子１０３の幅は、図１〜図９で説明したものの幅と同じであるが、前方端子１０２の幅は、後方端子１０３の幅より広い。さらに、前方端子１０２には、ケース１０１側部から離れる方向での先端後方側の角部に端子切欠き部１０２Ａが設けられている。
【００６１】
その他の構成は図１〜図６で説明したものと同じであり、またその動作も同様であるので、説明は省略する。
【００６２】
押圧操作モーメントは、後方端子１０３より前方端子１０２側に強く加わるが、前方端子１０２の幅を広いものにすることにより、前方端子１０２の半田付け面積が拡大して半田付け強度が向上する。これにより、押圧操作や突発的に加わる過大な押圧力に対して、半田付け実装後の機械的強度を強くすることができる。
【００６３】
また、前方端子１０２の先端に設けられた端子切欠き部１０２Ａが、半田付け時に半田溜まりとして作用するため、半田付け実装後の機械的強度をより強くすることができる。
【００６４】
端子切欠き部１０２Ａは、前方端子１０２、後方端子１０３のどちらか、もしくは両方に設けても良いが、図１０に示したように前方端子１０２の後方縁部に設けるのが好適である。また、前方端子１０２や後方端子１０３の端子幅内に貫通孔として設けてもよい。
【００６５】
さらに、図１で示したプッシュスイッチの端子を別の形態のものとした事例を、図１１を用いて説明する。
【００６６】
図１１は、電子機器の配線基板に端子を別の形態としたプッシュスイッチを搭載する状態を説明する外観図である。
【００６７】
同図において、１１１は左右の両側面からそれぞれ導出され、前方側に位置した前方端子１１２と後方側に位置した後方端子１１３が、絶縁樹脂でインサート成形されて固定されたケースである。このケース１１１に対し、前述したものと同様に、操作体２６の前方に突出して位置された操作部２６Ａへの操作で操作体２６が前後移動可能になされ、その上方からカバー２７が固定されている。前方端子１１２と後方端子１１３は、ケース１１１の両側面において高さ方向のほぼ中央となる中間高さ位置から左右対称位置で平板状に各々導出されている。
【００６８】
なお、前方端子１１２は、ケース１１１の側面から平板状に導出され、ケース１１１側部から離れる方向の先端側が下方に向けて折り曲げられている。
【００６９】
その他の構成は図１〜図６で説明したものと同じであり、またその動作も同様であるので、説明は省略する。
【００７０】
そして、当該プッシュスイッチを搭載するための電子機器の配線基板２０１は、図１１に示したように、その縁部に前方側が開口した矩形の切欠き部２０２が設けられ、プッシュスイッチの前方端子１１２に対応した位置には、図示しない回路に繋がった端子用のスルーホール付きランド２０３が矩形形状で設けられている。また、後方端子１１３に対応した位置には、同じく図示しない回路に繋がった端子用のランド２０４が矩形形状で設けられている。
【００７１】
配線基板２０１に実装された当該プッシュスイッチは、前方端子１１２の先端側がスルーホール付きランド２０３のスルーホール内に挿入状態で半田付けされるため、強固に固定される。これにより、前方端子１１２に強く加わる押圧操作モーメントに対し、半田付け実装後の機械的強度をさらに強固にすることができる。
【００７２】
次に、図１２および図１３に示した別の形態のプッシュスイッチについて説明する。図１２は、図１０に示した形態のプッシュスイッチのケースに受け部を設けたものの外観図、図１３は、図１１に示した形態のプッシュスイッチのケースに受け部を設けたものの外観図である。
【００７３】
図１２、図１３において、ケース１２１，１３１から導出された端子１２２，１２３，１３２，１３３の下面位置を境にして、ケース１２１，１３１の少なくとも左右の側部において、その上方部分を下方部分より外方に突出させて、受け部１２１Ａ，１３１Ａを構成している。
【００７４】
その他の構成は図１０および図１１で説明したものと同じであり、またその動作も同様であるので、説明は省略する。
【００７５】
この形態においても、受け部１２１Ａ，１３１Ａによって広い面積で、かつケース１２１，１３１の両側で安定して図示しない配線基板上に載置できるため、実装作業性を向上することができる。また、受け部１２１Ａ，１３１Ａ下面に露出した端子１２２，１２３，１３２，１３３の半田付け面積も広くできるため、半田付け実装後の機械的強度を強くすることができる。
【００７６】
次に、図１４に示した別の形態のプッシュスイッチについて説明する。
【００７７】
図１４は、図１３に示した形態のプッシュスイッチに対して、前方端子１４２の幅を後方端子１４３の幅より広い幅とし、ケース１４１側部から離れる方向の先端後方側の角部に端子切欠き部１４２Ａを設け、さらにその先端側が下方に向けて９０度折り曲げられた形態としたものである。
【００７８】
その他の構成は図１３で説明したものと同じであり、またその動作も同様であるので、説明は省略する。
【００７９】
この形態のプッシュスイッチは、上述のように、受け部１４１Ａによって、実装作業性を向上することができると共に、前方端子１４２の幅を広い幅としたこと、ケース１４１の受け部１４１Ａにより各端子１４２，１４３の露出部分（半田付け面積）が多くなること、先端の折り曲げ部分をスルーホールに挿入して半田付けすること、これらにより、押圧操作モーメントに対して半田付け実装後の機械的強度を最も強くすることができる。
【００８０】
なお、折り曲げられた先端側は、図示しない配線基板のスルーホールに挿入されるので、端子切欠き部１４２Ａを設けない構成としても良い。
【００８１】
なお、以上のいずれの形態のものにおいても、スイッチ接点部の構成は図示して説明したもののみに限られることはない。
【産業上の利用可能性】
【００８２】
本発明によるプッシュスイッチおよびそれを搭載する電子機器は、機械的強度を劣化させることなく、実装状態において配線基板からの高さを抑えたものを提供できるという特徴を有し、各種電子機器の入力操作部を構成する際等に有用である。
【符号の説明】
【００８３】
２１，４１，１０１，１１１，１２１，１３１，１４１  ケース
２１Ａ  凹部
２１Ｂ  平板部
２１Ｃ  コーナー突部
２１Ｄ  段部
２２  中央固定接点
２２Ａ，２３Ａ  端子
２３  外側固定接点
２４  可動接点
２５  保護シート
２６  操作体
２６Ａ  操作部
２６Ｂ  弾性突起
２６Ｃ  押圧部
２６Ｄ  摺動部
２７  カバー
２７Ａ  傾斜部
３１，２０１  配線基板
３２，２０２  切欠き部
３３，２０４  ランド
４１Ａ，１２１Ａ，１３１Ａ，１４１Ａ  受け部
１０２，１１２，１２２，１３２，１４２  前方端子
１０２Ａ，１２２Ａ，１４２Ａ  端子切欠き部
１０３，１１３，１２３，１３３，１４３  後方端子
２０３  スルーホール付きランド
【図１】
2010118336.tif 000003
【図２】
2010118336.tif 000004
【図３】
2010118336.tif 000005
【図４】
2010118336.tif 000006
【図５】
2010118336.tif 000007
【図６】
2010118336.tif 000008
【図７】
2010118336.tif 000009
【図８】
2010118336.tif 000010
【図９】
2010118336.tif 000011
【図１０】
2010118336.tif 000012
【図１１】
2010118336.tif 000013
【図１２】
2010118336.tif 000014
【図１３】
2010118336.tif 000015
【図１４】
2010118336.tif 000016
【図１５】
2010118336.tif 000017
【図１６】
2010118336.tif 000018